(57)【要約】本発明は、  −流体式機械の回転軸を介して回転する、翼配列を備えた一次ホィールと、固定または流体式機械の回転軸を介して回転する、翼配列を備えた二次ホィールを有し、その場合に  −一次ホィールと二次ホィールが、互いに、作業媒体で満たされ、あるいは満たすことができる、少なくとも１つのトーラス形状の作業室を形成し、かつ  −一次ホィールが、作業媒体のための少なくとも１つの流入通路を有している、流体式機械、特に流体式リターダに関する。  本発明は、  −流入通路が、トーラス壁の内部および／または一次ホィールの羽根の内部に延びており、一次ホィールの羽根の外径と内径の間の中心の領域または中心の径方向外側で、トーラス壁の領域のある箇所において作業室に開口していることを、特徴としている。【選択図】図１
2011508171.tif 000002
【特許請求の範囲】
【請求項１】
１．１  流体式機械の回転軸（１０）を介して回転可能な、翼配列を備えた一次ホィール（２０）と、固定の、あるいは流体機械の回転軸（１０）を介して回転する、翼配列を備えた二次ホィールとを有し、その場合に
１．２  一次ホィール（２０）と二次ホィールが互いに、作業媒体（３０）で満たされ、あるいは満たすことのできる、トーラス形状の作業室（２１）を形成し、かつ
１．３  一次ホィール（２０）が、作業媒体（３０）のための少なくとも１つの流入通路（２２；２２’）を有している、
流体式機械、特に流体式リターダにおいて、
１．４  流入通路（２２；２２’）が、トーラス壁（２３）の内部および／または一次ホィール（２０）の羽根（２４、２４’）の内部に延びており、かつ一次ホィール（２０）の羽根（２４、２４’）の外径（ＲＡ−２４）と内径（ＲＩ−２４）の間の中心または中心の径方向外側の領域内で、トーラス壁（２３）の領域内のある箇所において、作業室（２１）内に開口していることを特徴とする流体式機械。
【請求項２】
流入通路（２２；２２’）が、一次ホィール（２０）の羽根（２４、２４’）の、一次ホィール（２０）の回転方向とは逆の表面の領域においてトーラス壁（３０）内に、あるいは一次ホィール（２０）の回転方向とは逆の表面において、作業室（２１）内に開口していることを特徴とする請求項１に記載の流体式機械。
【請求項３】
一次ホィール（２０）のそれぞれの羽根（２４、２４’）および／またはトーラス壁（２３）が、流入通路（２２、２２’）の開口部（２５）の領域内で、この領域において実質的に障害物のない、まっすぐに延びる流れが形成されるように、ほぼアールなしで、あるいはわずかなアールで形成されている、請求項１に記載の流体式機械。
【請求項４】
一次ホィール（２０）のそれぞれの羽根（２４、２４’）および／またはトーラス壁（２３）が次のように、すなわち対向する羽根（２４、２４’）とその間に位置するトーラス壁（２３）とによって形成される少なくとも１つの羽根空間（２６）が、隣接する羽根空間（２６’）の流れ断面に対してより狭い、あるいはより広い流れ断面を有するように、形成され、かつ／または方向付けされていることを特徴とする請求項１から３のいずれか１項に記載の流体式機械。
【請求項５】
回転軸（１０）の視線方向において、羽根（２４）の前端縁（２７）が、その仮想の延長線（Ｖ−２７）が回転軸（１０）を中心とする第１の円（Ｋ−１）に接線状に添接するように方向付けされおり、隣接する羽根（２４’）の前端縁は、その仮想の延長線（Ｖ−２７’）が、回転軸（１０）を中心とする第２の円（Ｋ−２）に接線状に添接するように方向づけされており、２本の延長線（Ｖ−２７、Ｖ−２７’）の交差または非交差によって、円（Ｋ−１、Ｋ−２）との接点の前に、それぞれ延長線（Ｖ−２７、Ｖー２７’）が回転軸（１０）を通って延びている場合に生じる流れ断面に比較してより狭い、あるいはより広い流れ断面が生じることを特徴とする請求項１から４のいずれか１項に記載の流体式機械。
【請求項６】
第２の円（Ｋ−２）の直径が、第１の円（Ｋ−１）の直径に等しく、かつ２本の延長線（Ｖ−２７、Ｖ−２７’）が、円（Ｋ−１、Ｋ−２）との接点の前で交差することを特徴とする請求項５に記載の流体式機械。
【請求項７】
第２の円（Ｋ−２）の直径が、第１の円（Ｋ−１）の直径よりも大きいことを特徴とする請求項５に記載の流体式機械。
【請求項８】
周方向に互いに連続する羽根空間（２６、２６’）が、交互に狭い流れ断面と広い流れ断面を有していることを特徴とする請求項４から７のいずれか１項に記載の流体式機械。
【請求項９】
作業媒体（３０）のための少なくとも１つの流入通路（２２；２２’）が、それぞれの広い流れ断面を有する羽根空間（２６、２６’）内へ通じていることを特徴とする請求項４から８のいずれか１項に記載の流体式機械。
【請求項１０】
一次ホィール（２０）が、一次ホィール（２０）が回転する場合にその周囲にある作業媒体（３０）が移動されて、少なくとも１つの流入通路（２２；２２’）へ供給されるように形成され、かつ／または方向づけされた、背側の翼配列（２８）を有している、前記請求項のいずれか１項に記載の流体式機械。
【請求項１１】
少なくとも１つの流入通路（２２；２２’）が、回転軸（１０）に対して角度をもって方向づけされ、かつ特にその作業媒体ガイドに関して径方向内側から外側へ延びている、前記請求項のいずれか１項に記載の流体式機械。
【請求項１２】
少なくとも１つの流入通路（２２；２２’）が、羽根（２４、２４’）の基部（２９）内に延びている、前記請求項のいずれか１項に記載の流体式機械。
【請求項１３】
流入通路（２２、２２’）が、作業室（２１）内の次の箇所、すなわち一次ホィール（２０）の回転方向に対向する羽根（２４、２４’）とその間に位置するトーラス壁（２３）とによって形成される羽根空間（２６）が、特に流入通路の開口部を持たない、隣接する羽根空間（２６’）の流れ断面に対して相対的に厚く拡幅する流れ断面を有する箇所で、開口していることを特徴とする前記請求項のいずれか１項に記載の流体式機械。
【発明の詳細な説明】
【技術分野】
【０００１】
本発明は、請求項１の前文に記載の流体式機械、特に流体式リターダに関する。しかし、本発明は、流体式クラッチにおいても適用することができる。
【背景技術】
【０００２】
流体式リターダと流体式クラッチは、一緒にトーラス形状の作業室を形成する、２つの羽根ホィールのみを有することによって、流体式コンバータから区別される。流体式クラッチにおいては、２つの羽根ホィールは、同一の回転方向に回転し、流体式リターダにおいては、ポンプホィールに対向する羽根ホィールは固定であり、あるいはいわゆるリバースリターダにおいては、ポンプホィールに対して逆に回転する。その場合に流体式クラッチにおいては、いわゆるタービンホィールは、ポンプホィールの回転数より小さい回転数で移動する。というのは、ポンプホィールからタービンホィールへトルクを伝達するために、２つの羽根ホィール間のスリップが必要となるからである。
【０００３】
上述した種類の流体式機械は、多数の実施形態において開発されている。最初は、作業媒体・オイルのみで駆動されていたが、最近は、作業媒体として水を有する流体式リターダも提案されており、それは、たとえば車両冷却循環内に直接配置されている。選択された作業媒体は、流体式機械の出力に、たとえばポンプホィールからタービンホィールへ伝達されるトルクと、流体の摩擦によって生じる温度に、影響を与える。リターダにおいて、特に高い制動作用を提供することができるようにするために、伝達される出力ないしモーメントは、できる限り大きくされ、それが、大きいパワー数λで表される。パワー数λは、当業者には流体式機械について知られており、たとえば、機械製作のためのポケットブック、Ｄｕｂｂｅｌに記載されている。
【０００４】
流体式機械のパワー数を上げるために、未公開の特許文献１において、ポンプホィール内にラジアル方向に延びる流入通路を形成することが提案されており、その流入通路は、流体式機械の回転軸に対して垂直または角度をもって延びている。もちろんこれまでは、トーラス壁からの充填は、外圧なしでは適用できなかった。とういのは、特に斜め翼配列の循環において、かつスリップが大きい場合に、反圧は、トーラス壁において最大になるからである。その場合に、作業媒体の子午線速度は、周速度の数倍であり、子午線流の遠心加速に基づく回転圧力は、比較的大きい。
【０００５】
従って斜め翼配列の流体式循環の充填は、これまで２種類のやり方でのみ行われていた。高い供給圧力が提供される場合には、充填は、ポンプとタービンホィールの間の内側または外側の間隙を通して行われる。他の場合には、これは、トーラス中心まで延びる、閉鎖された通路を介して行われる。その場合に高い供給圧力は、発生させるのが煩雑であって、トーラス中心への通路は、費用と出力数λを要する。
【先行技術文献】
【特許文献】
【０００６】
【特許文献１】独国特許出願ＤＥ１０２００７０６０７６４．６
【発明の概要】
【発明が解決しようとする課題】
【０００７】
本発明の課題は、駆動されるポンプホィールから対向する二次ホィールへのパワー伝達ないしモーメント伝達が、簡単、効率的かつ安価なやり方で改良される、流体式機械と特に流体式リターダを提供することである。
【課題を解決するための手段】
【０００８】
この課題は、請求項１に記載の特徴を有する流体式機械によって解決される。従属の請求項は、本発明の特に好ましく、かつ目的にあった形態を記述している。
【０００９】
その場合に、本発明は、特に斜め翼配列の流体式機械においては、トーラス壁を越える回転圧力は、均一な大きさではない、という認識から出発している。実施形態に基づく本発明に関するような、この種の斜め翼配列の流体式機械においては、一次ホィールおよび／または二次ホィールの羽根は、一次ホィールと二次ホィールの間の分離間隙によって形成される平面に対して角度をもって、すなわち垂直ではない平面内に延びている。この種の斜め翼配列の流体式機械は、当業者には知られており、後に図２を参照してさらに説明する。
【００１０】
斜め翼配列とそれによってもたらされる、子午線流の斜め位置に基づいて、羽根の翼配列のない側のトーラス壁は、径方向にずっと内側に位置し、従ってより少ない回転圧力を受ける。同一圧力のラインは、羽根面に対して垂直に延びる傾向がある。他方で、ロータ内の流れは、一次ホィールから見て径方向外側へ向かって案内され、従って周回転方向（旋回）に増加しなければならない。しかし、自由な流れの法則によれば、流れは、「径方向外側へ向かって流れる」場合には、周回転方向に減少する。この効果は、「スライドする羽根」の側の圧力を増大させ、同一圧力のラインは、もはや羽根面に対して垂直には延びず、トーラス壁へ向かってさらに傾斜する。
【００１１】
これが、流体式機械のロータ内で、少なくとも１つの流入通路が、作業室内で羽根のすぐ後ろに位置する（一次ホィールの回転方向において、羽根の、回転方向とは逆の側）、特に圧力の少ない領域内へ開口するように案内され、および／または流体式機械の径方向に関して、トーラス壁の領域内の、一次ホィールの羽根の外径と内径の間の中心の領域または中心の径方向外側に位置する半径上で開口することによって、本発明にとって有利になるように利用される。その場合に、トーラス壁の領域内というのは、羽根の外径と内径の間の中心の領域内で開口する場合に、流体式機械の軸方向において、一次ホィールと二次ホィールの間の分離間隙の外部、特に羽根の、自由端部とは逆の端部における羽根ホィール底の領域内を意味している。それに対して羽根の外径の領域内あるいは外径上で開口する場合には、開口部は、ほぼ、あるいは正確に分離間隙内に位置する。
【００１２】
それによって、大きな流量による、かつ外圧なしの、作業室の充填が実現される。
【００１３】
トーラス壁の半径において作業媒体を方向変換させることによって、子午線流の遠心加速に基づく回転圧力が生じる、という認識から出発して、その場合にトーラス内の比較的圧力の低い領域は、トーラスおよび／または翼配列を所望に形成することによって、発生させることができる。従ってトーラス内の比較的圧力の低い領域は、流入通路の開口部の領域内で、一次ホィールのそれぞれの羽根および／またはトーラス壁を、この領域内に実質的に障害物のない、まっすぐに延びる流れが形成されるように、ほぼアールなしで、あるいはわずかなアールで形成することによって発生させることができる。それによって方向変換が、まっすぐな区間により中断され、そのまっすぐな区間によって、そばを通過する子午線流のいわゆるベンチュリー効果がもっとも発揮される。まっすぐな区間は、他の箇所の半径をそれだけ狭く選択することによって、延長することができる。
【００１４】
その場合に、それぞれ２つの羽根の間に形成される羽根空間は、意味に従って、それ自体閉成された流れ通路と考えることができる。すなわち、その流れ断面の相対的な拡幅が、相対的な負圧のゾーンを発生させることができる。好ましくはこれは、一次ホィールの羽根および／またはトーラス壁が次のように、すなわち対向する羽根とその間に位置するトーラス壁とによって形成される少なくとも１つの羽根空間が、隣接する羽根空間の流れ断面に対してより狭い、あるいはより広い流れ断面を有するように形成され、かつ／または方向付けされることによって、達成される。この種の形状は、羽根通路内へ、そしてそれに伴ってトーラス空間への作業媒体の供給流を支援する。これは、原理的に各羽根空間内で行うことができる。
【００１５】
流れ断面の（相対的）拡大は、代替的または付加的に、回転軸の視線方向に羽根の前端縁が、その仮想の延長線が回転軸を中心とする第１の円に接線状に添接し、隣接する羽根の前端縁が、その仮想の延長線が回転軸を中心とする第２の円に接線状に添接するように方向づけされ、２本の延長線が円との接点の前で交差し、ないしは交差しないことによって、それぞれ延長線が回転軸を通って延びる場合に生じる流れ断面に比較してより狭い、ないしはより広い流れ断面が生じることによって行うこともできる。それによって、たとえば、それぞれ２番目の羽根の整合方向が異なり、すなわち各直線的な羽根は、それぞれ非直線的な羽根とは異なる整合角度を有する。従ってそれぞれ２番目またはｘ番目の羽根空間は、作業媒体の流れ方向に相対的な拡幅またはＶ形状の強化を有し、他の羽根空間は、流れ方向に相対的に狭くなる。
【００１６】
羽根空間を越える流れ断面の特に強い変化は、第２の円の直径が、第１の円の直径と等しい大きさか、あるいはそれより大きいことによって得られる。その場合に、第２の円に方向付けされた羽根は、第２の円が第１の円より大きい程度において、該当する流れ断面を狭くする。
【００１７】
周方向に互いに連続する羽根空間が、交互に狭い流れ断面と広い流れ断面を有する場合に、ロータの震動励起が抑圧されて、それによってその音響的な挙動が改良される。さらに、ロータの特性曲線飛躍が、回避される。これは、ねじ止めされたプロフィールについても当てはまる。このようにねじ止めされたプロフィールは、鋳造方法、特に加圧鋳造方法で形成することができるプロフィールであって、その場合に羽根ホィールは、鋳造型を破壊せずに、回して離型できる。
【００１８】
その場合に、吸引効果およびそれと結びついた、流体式機械の出力向上は、作業媒体のための少なくとも１つの流入通路が、広い流れ断面を有するそれぞれの羽根空間内へ通じている場合に、最大となる。また、流入通路が作業室内の、一次ホィールの回転方向において対向する羽根とその間に位置するトーラス壁とによって形成される羽根空間が、隣接する、特に流入通路の開口部を持たない羽根空間の流れ断面に対して相対的に厚く拡幅する流れ断面を有している箇所に開口することも、可能である。このように相対的に厚くなる拡幅は、局所的に制限することができ、あるいは一次ホィールの羽根区間全体にわたって続くこともできる。相対的に拡幅するすべての羽根通路に流入通路が設けられている場合には、作業媒体の広範囲におよぶ供給が保証される。
【００１９】
出力は、一次ホィールが、一次ホィールが回転する場合にその周囲にある作業媒体が移動されて、少なくとも１つの流入通路へ供給されるように形成され、かつ／または方向付けされた翼配列を有することによって、さらに向上させることができる。これは、もちろん付加的なポンプを必要としない、作業媒体の圧力供給される供給に相当する。
【００２０】
少なくとも１つの流入通路が、回転軸に対して角度をもって方向付けされており、特にその作業媒体案内に関して径方向に内側から外側へ延びていると、さらに出力を向上させることが可能である。作業媒体に作用する遠心力によって、その作業室への供給が改良される。同時に、このように配置された通路は、斜め内側からロータを加工することが可能であるので、より良好に形成される。
【００２１】
安定の理由からは、少なくとも１つの流入通路が、羽根の基部内に延びていると、効果的である。この基部は、通常、ロータの強度を損なうことなく通路を収容するために、十分な厚みを有している。さらに、この箇所に通路を取り付けることによる流れの影響は、限界内に留まり、ないしは完全に回避することができる。基部は、羽根基部と称することもできる。
【００２２】
以下、添付の図を参照しながら実施例を用いて、本発明を詳細に説明する。同一または同じ作用をする部分には、同一の参照数字が設けられている。
【図面の簡単な説明】
【００２３】
【図１】本発明に基づく流体式機械の一部を、回転軸とその中に配置された一次ホィールに沿った断面で示している。
【図２】図１の一次ホィールの一部を、その中に延びる羽根に対して垂直の断面で示している。
【図３】羽根空間の圧力の乏しい領域において、図２のＡ−Ａ断面で流入通路の開口部を示している。
【図４】図１の一次ホィール内で回転する羽根のそれぞれの方向付けを示している。
【図５】図１の一次ホィール内で回転する羽根の代替的な方向付けを示している。
【発明を実施するための形態】
【００２４】
図１は、本発明に基づく流体式機械の一部を、回転軸１０とその中に配置された一次ホィール２０に沿った断面で示している。その場合に一次ホィール２０は、機械のハウジング１１内に軸承されており、そのハウジングは、一次ホィール２０の外側に対して間隙シール１２を行う。回転軸１０とハウジング１１の間に、さらに、アキシャルシール１３が配置されている。供給部１４を介して作業媒体３０が、このように形成された空間内へ投入され（矢印方向）、その作業媒体は、一次ホィールが回転するとすぐに、一次ホィール２０のトーラス壁２３内の流入通路２２を介して機械の作業室２１内へ吸い込まれる。流入通路２２は、作業媒体３０の供給を遠心的に支援するために、トーラス壁２３内に径方向内側から外側へ延びるように取り付けられている。流入通路２２は、一次ホィール２０の外径ＲＡ−２４（径方向外側）と内径ＲＩ−２４（径方向内側）の間のほぼ半分の高さにおいて、かつ一次ホィール２０の移動方向に、その中に配置された羽根２４の後方で、開口している。この領域内では、一次ホィールが回転する場合に、相対的負圧が支配するので、作業媒体３０を圧力をかけて供給する必要はない。流入通路２２の開口部２５は、さらに、羽根空間２６内のアールのない、まっすぐな区間内に、そこでそばを通過する流れのベンチュリー効果を完全に利用するために、配置されている。本発明に基づく輪郭ガイドを比較するために、この種のアールのない区間をもたない、従来のトーラス輪郭が破線で示唆されている。本発明に基づく２つの措置、流入通路２２をできるだけ圧力の乏しい領域内へ案内することと、トーラス壁２３および／または羽根２４、２４’の形態は、ここに図示するように一緒に、あるいは互いに対して代替的に、より良好な充填によって機械の出力の向上を得るために、使用することができる。
【００２５】
図１に示す、本発明に基づく機械の実施形態において、一次ホィール２０の後ろ側の翼配列２８が、作業媒体３０の供給を支援する。この翼配列２８は、一次ホイール２０が回転する場合に作業媒体３０が流入通路２２へ供給されるように、形成され、かつ取り付けられている。この種の翼配列は、作業媒体の十分な供給を保証するために、設けることができるが、必ずしも設ける必要はない。
【００２６】
図２は、図１の一次ホィール２０の一部を、その中に延びる羽根２４、２４’に対して垂直の断面で示している。この図から、作業媒体３０のための流入通路２２が、羽根２４、２４’の基部２９、２９’内で案内されていることが、理解できる。通路２２をこのように案内することによって、一次ホィール２０の安定性が保たれる。というのは、それを収容するために、羽根２４、２４’とトーラス壁２３との間に十分な材料があるからである。一次ホィール２０の移動方向は、矢印で示されている。すでに、作業室の一部としての羽根空間２６ないし２６’内にある作業媒体は、図示の表示において、一次ホィール２０のトーラス壁２３に沿って図面平面から流出する。それぞれの羽根空間２６、２６’のトーラス内の圧力の少ないゾーンは、各羽根２４、２４’の、移動方向とは逆を向いた表面の領域内にある。
【００２７】
図示のように、図２に示す一次羽根ホィールは、斜め翼配列の羽根ホィールである。というのは、羽根２４、２４’は、羽根ホィール底ないしトーラス壁２３上で垂直ではなく、傾斜しているからである。
【００２８】
図３は、流入通路２２の開口部２５を、図２のＡ−Ａ断面に沿って、羽根空間２６の圧力の少ない領域内で示している。その場合に、製造を簡単にする理由から、流入通路２２は、羽根２４内の孔として形成されている。もちろん、通路２２を鋳造方法で形成することも考えられるが、ずっと高価になってしまう。長いまっすぐな区間を介して開口部２５を通過する作業媒体（矢印方向）のベンチュリー効果によって、作業媒体３０に吸引力がもたらされ、それが羽根空間２６内への作業媒体の流入を促進する。
【００２９】
図４は、ポンプホィール２０、たとえば図１に示すポンプホィール内で回転する羽根２４，２４’のそれぞれの方向付けを示している。その場合に、羽根２４、２４’のそれぞれの前端縁の仮想の延長線Ｖ−２７、Ｖ−２７’は、機械の回転軸１０を中心とするそれぞれ小さい円と大きい円Ｋ−１、Ｋ−２に接線状に添接するので、それらは、それぞれの円との接点の前で交差する。これは、対向する羽根ペア２４、２４’の間で、交互に狭い流れ断面と広い流れ断面を有する連続する羽根空間２６、２６’が形成されるように、行われる。広い羽根空間２６’内では、一次ホィール２０が回転する場合に、狭い羽根空間２６内よりも低い圧力が支配するので、前者にはそれに応じた流入通路２２を形成することができる。
【００３０】
図５は、図１の一次ホィール２０内で回転する羽根２４、２４’の代替的なそれぞれの方向付けを示している。その場合に回転軸１０を中心とする円Ｋ−１とＫ−２は、同じ大きさに選択されており、それによって羽根２４、２４’の特に簡単な構造的方向付けが可能になる。隣接する羽根２４、２４’の前端縁２７、２７’の延長線Ｖ−２７、Ｖ−２７’は、円Ｋ−１、Ｋ−２のそれぞれの側に接線状に添接し、その場合にそれらは、それぞれ円との接点の前で交差する。それによってその間に位置する羽根空間２６は、より狭い流れ断面を有し、後続の羽根空間２６’は、より広い断面を有する。そのより広い断面にまた、より狭い断面が．．．と続く。羽根２４、２４’のこの代替的な方向付けにおいても、付加的な圧力供給なしで作業媒体３０の供給を保証するために、より狭く、それに伴って圧力のより少ない羽根空間２６’には、それに応じた流入通路２２が設けられる。空間２６、２６’を交互に広くし、かつ狭くすることは、同時に震動を減衰させ、従って騒音を減少させる。同時に、ねじ止めされたプロフィールにおいても、ロータの特性曲線飛躍が減少される。
【００３１】
好ましくは、流体式機械から作業媒体を流出させる、少なくとも１つの流出通路は、比較的圧力の高い領域内に開口することができる。これは、たとえば、比較的狭い羽根空間２６内および／または、流体式機械の一次ホィールまたは二次ホィール内の羽根の、移動方向に関して、それぞれの前側とすることができる。
【符号の説明】
【００３２】
Ｋ−１、Ｋ−２  回転軸１０を中心とする円
ＲＩ−２４  羽根２４の内径
ＲＡ−２４  羽根２４の外径
Ｖ−２７、Ｖ−２７’  前端縁２７、２７’の延長線
１０  流体式機械の回転軸
１１  機械のハウジング
１２  間隙シール
１３  アキシャルシール
１４  作業媒体のための供給部
２０  機械の一次ホィール
２１  機械のトーラス形状の作業室
２２  作業媒体３０のための流入通路
２３  一次ホィール２０のトーラス壁
２４、２４’  一次ホィール２０の羽根
２５  作業室２１内の流入通路２２の開口部
２６  羽根空間
２７、２７’  羽根２４、２４’の前端縁
２８  後ろ側の翼配列
２９、２９’  羽根２４、２４’の基部
【図１】
2011508171.tif 000003
【図２】
2011508171.tif 000004
【図３】
2011508171.tif 000005
【図４】
2011508171.tif 000006
【図５】
2011508171.tif 000007
【国際調査報告】
2011508171.tif 000008
2011508171.tif 000009
2011508171.tif 000010
2011508171.tif 000011